(57)【要約】【課題】  配管改修工事などの作業性を向上させることができる配管保持具を提供する。【解決手段】  配管保持具２０は、コンクリート壁等に固定され、かつ配管１２を挿入するための挿入用凹部２２を備えたベース部材２１Ａと、挿入用凹部２２に嵌め込むことにより該凹部２２を塞ぐカバー部材２１Ｂとから構成される。ベース部材２１Ａは、挿入用凹部２２の両側の部分に十分な厚みが設けられるとともに全体が低発泡樹脂から構成されており、これにより挿入用凹部２２の両側の部分に、打釘により他の部材を固定できる打釘部２４が設けられている。カバー部材２１Ｂには、打釘により打釘部２４に部材を固定する際に保持配管１２を保護する鋼板からなる保護板２８が設けられている。【選択図】      図３
2006189063.tif 000002
【特許請求の範囲】
【請求項１】
被取付け面に固定されて配管を保持する配管保持具であって、
前記配管を保持する配管保持部と、少なくとも前記被取付け面とは反対側に面し、打釘により他の部材の固定を可能とする打釘可能部とを備えていることを特徴とする配管保持具。
【請求項２】
請求項１に記載の配管保持具において、
保持された配管を打釘から保護する保護部材が設けられていることを特徴とする配管保持具。
【請求項３】
請求項１又は２に記載の配管保持具において、
前記被取付け面に固定される第１部材と、この第１部材に合体させることにより該第１部材と協働して前記配管保持部を形成する第２部材とからなり、
前記第１部材又は第２部材の少なくとも一方側に、前記両部材を互いに合体させた状態において前記打釘可能部が少なくとも前記被取付け面とは反対側に面するように構成されていることを特徴とする配管保持具。
【請求項４】
請求項３に記載された配管保持具において、
前記第１部材に対して第２部材を着脱自在に係合させることにより前記両部材を互いに合体させるように構成されていることを特徴とする配管保持具。
【請求項５】
請求項１又は２に記載の配管保持具において、
前記配管保持部が保持具本体に対して着脱自在に構成されていることを特徴とする配管保持具。
【請求項６】
請求項１乃至５の何れかに記載の配管保持具を用いた配管構造であって、
室内に露出して設けられる縁取り部材又は柱状部材などの基準部材に沿って配管が設けられるとともに、この配管の長手方向における一乃至複数箇所が前記配管保持具により保持された状態で壁面に対して固定され、さらに配管の長手方向に亘って該配管から前記基準部材に跨る部分を一体的に室内側から隠蔽する覆材が設けられ、この覆材が少なくとも配管保持具の前記打釘可能部に対して打釘されることにより前記壁面に固定されていることを特徴とする配管構造。
【請求項７】
請求項６に記載の配管構造において、
前記覆材は、前記基準部材と同一材料により構成されていることを特徴とする配管構造。
【請求項８】
請求項１乃至５の何れかに記載の配管保持具を用い、室内に露出して設けられる縁取り部材又は柱状部材などの基準部材に沿って配管を設ける工法であって、
前記配管保持具を前記基準部材に沿って壁面に固定し、前記基準部材に沿って配管を配置しながら該配管を前記配管保持具により固定し、さらに配管の長手方向に亘って該配管から基準部材に跨る部分を一体的に室内側から隠蔽する覆材を前記配管および基準部材に被せ、この覆材を少なくとも配管保持具の前記打釘可能部に対して室内側から打釘することにより前記壁面に固定することを特徴とする配管工法。
【発明の詳細な説明】
【技術分野】
【０００１】
本発明は、マンションなどの集合住宅、あるいはオフィスビルにおける給排水管などの配管構造に関するものであり、主に、老朽化等により配管を改修（配管の引替え工事）する場合に適した配管保持具、配管構造および配管工法に関するものである。
【背景技術】
【０００２】
マンションなどの集合住宅、あるいはオフィスビルのうち築年数が経っているものでは、例えば給水配管の内部に錆が生じるなど老朽化が進み、生活用水の供給に支障が生じているものがある。このような建物では、必要に応じて給水配管を塩ビ管などの耐腐食性の高い配管に交換することが行われるが、主な工法としては、室内天井や床面等の壁面を一旦解体撤去し、壁面内部の配管を引替えた後、壁面を復旧する工法（仮に隠蔽工法と言う）と、旧配管を残したまま、別途室内に新たな配管を設ける工法（仮に露出工法と言う）とがある。
【発明の開示】
【発明が解決しようとする課題】
【０００３】
上記のような工法のうち、隠蔽工法によると、配管が完全に壁面内に隠れてもとどおりになるため理想的であるが、壁面を大きく撤去し復旧するため工事期間が長く、またコストが嵩むという難点がある。一方、露出工法によると、壁面を僅かに撤去するだけで済むため施工期間が短く、低コストで済む。しかし配管が露出するため見栄が悪い。そのため例えば配管そのものを化粧カバーで覆うことも行われているが、この場合でも、依然、配管に沿った異質な突状部分が壁面に存在するため違和感を拭い切れない。
【０００４】
そこで、本願出願人は、露出工法の改良として、配管とその近辺全体を覆材で覆うことにより、配管が壁面内部に設けられているように擬装し、これによって露出工法の見栄えの問題を解消することを考えついた。ところが、ここに次のような解決すべき課題がある。
【０００５】
すなわち、マンションのように、例えばコンクリート壁に直接断熱材と壁板とが取付けられた室内の壁面には、配管や覆材を容易に固定できる木製の柱や桟が少ない。そのため、固定金具を使って配管を壁に固定し、これとは別に桟材等を同様に壁に固定した上で、この桟材を使って覆材を固定することになる。そのため、配管を固定するための工程と覆材を固定する工程とに加えて覆材を支持する桟材を固定する工程が必要となり、作業性が決して良いとは言えない。従って、この点を解決することが望まれる。
【０００６】
本発明は上記の事情に鑑みてなされたものであって、その第１の目的は、配管工事の作業性を向上させることができる配管保持具を提供すること、第２の目的は、この配管保持具を用いて配管工事を行うことにより、見栄えの良好な配管工事を短期間で、かつ低コストで提供することを目的とする。
【課題を解決するための手段】
【０００７】
上記の課題を解決するために、本発明の配管保持具は、被取付け面に固定されて配管を保持する配管保持具であって、前記配管を保持する配管保持部と、少なくとも前記被取付け面とは反対側に面し、打釘により他の部材の固定を可能とする打釘可能部とを備えているものである。
【０００８】
この配管保持具によると、配管を壁面に固定した上で、この配管保持具そのものを使って他の部材を固定することが可能となる。そのため、例えばコンクリート壁に配管を設けてさらにその配管を覆材により隠す場合でも、配管保持具のみを直接コンクリート壁に対して固定すれば、この配管保持具の打釘可能部に対して覆材を釘打ち固定することにより配管保持具を介して覆材をコンクリート壁に対して固定することが可能となる。なお、請求項の記載において「打釘」とは、いわゆる釘打ち以外に例えばねじ止めやステイプル打ちも含む概念である。
【０００９】
この配管保持具においては、保持された配管を打釘から保護する保護部材が設けられているのが好ましい。
【００１０】
この構成によれば、打釘可能部に釘打ちをする際に、誤って保持配管を傷付けるといったトラブルを有効に防止することが可能となる。
【００１１】
なお、上記の配管保持具は、その具体的な構成として、例えば、前記被取付け面に固定される第１部材と、この第１部材に合体させることにより該第１部材と協働して前記配管保持部を形成する第２部材とからなり、前記第１部材又は第２部材の少なくとも一方側に、前記両部材を互いに合体させた状態において前記打釘可能部が少なくとも前記被取付け面とは反対側に面するように構成されているものであってもよい。
【００１２】
この配管保持具では、まず第１部材を被取付け面に固定し、第１部材に対して第２部材を合体させつつこれら両部材の間に配管を挟み込むことにより、配管を配管保持具により保持することとなる。そして、このように第１，第２の両部材を合体させると、被取付け面とは反対側に打釘可能部が面し、これによって他の部材を打釘により配管保持具に固定することが可能となる。
【００１３】
このように配管保持具を第１部材と第２部材とからなる分割構造とする場合には、前記第１部材に対して第２部材を着脱自在に係合させることにより前記両部材を互いに合体させるように構成するのが好ましい。
【００１４】
この構成によれば、必要に応じて第１部材から第２部材を取り外すことにより、配管のやり直しや位置修正を容易に行うことが可能となり、配管作業の作業性が向上する。
【００１５】
上記の配管保持具においては、第１部材又は第２部材の一方側に、配管を挿入することにより配管を仮保持させるための挿入用凹部が設けられているのが好適である。この構成によれば、第１部材と第２部材とを合体させて配管を完全に固定するまでの間、配管を挿入用凹部に挿入して（あるいは嵌め込んで）仮保持させ、この状態で全体のバランスを確認して配管を本固定するといった作業が可能となる。そのため、配管作業の作業性が向上する。また、このように挿入用凹部を設ける場合の具体的な構成としては、前記第１部材に前記被取付け面側とは反対側に開くように前記挿入用凹部が設けられ、この挿入用凹部に第２部材を嵌め込むことにより前記第１部材に対して第２部材を合体させるように構成され、さらに前記挿入用凹部に配管を挿入してその外側から第２部材を前記挿入用凹部に嵌め込んだ両部材の適正な合体状態において、第１部材および第２部材における前記被取付け面側とは反対側の面が互いに面一になるように構成されているのが好ましい。この構成によれば、第１部材と第２部材との境目の段差を確認することにより、両部材が完全（確実）に合体しているか否かを手触りで、あるいは目視でもって容易に確認することが可能となる。そのため、配管作業を正確、かつ確実に行う上で有利となる。
【００１６】
なお、配管保持具の構成としては、上記のように第１部材と第２部材とを合体させることにより両部材により協働して配管保持部を形成するもの以外に、配管保持部そのものが保持具本体に対して着脱自在に構成されているものであってもよい。
【００１７】
この場合には、保持具本体を被取付け面に固定する一方、配管に対して配管保持部を装着しておき、この配管保持部を保持具本体に装着することにより配管保持具に対して配管を保持させることとなる。この場合も、必要に応じて保持具本体から配管保持部を取り外すことにより、配管のやり直しや位置修正を容易に行うことが可能となる。
【００１８】
一方、本発明に係る配管構造は、上記のような配管保持具を用いた配管構造であって、室内に露出して設けられる縁取り部材又は柱状部材などの基準部材に沿って配管が設けられるとともに、この配管の長手方向における一乃至複数箇所が前記配管保持具により保持された状態で壁面に対して固定され、さらに配管の長手方向に亘って該配管から前記基準部材に跨る部分を一体的に室内側から隠蔽する覆材が設けられ、この覆材が少なくとも配管保持具の前記打釘可能部に対して打釘されることにより前記壁面に固定されているものである。
【００１９】
この配管構造によると、配管、配管保持具および基準部材が覆材によって一体的に覆われ、その結果、配管が室内壁の内部に設けられているように擬装される。そのため、配管を本来の室内壁から露出した状態で設けながらも見栄えが悪くなるのを有効に防止することが可能となる。しかも、上記の配管保持具を用いているので、例えばコンクリート壁に配管を設けてこれを覆材により隠すような場合でも、配管保持具のみを直接コンクリート壁に対して固定すれば、この配管保持具の打釘可能部に対して覆材を釘打ち固定することにより配管保持具を介して覆材をコンクリート壁に対して固定することが可能であり、そのため配管工事を行う際の作業性も良いものとなる。また、配管部分が覆材により密閉されて内部の空気層により断熱効果が発揮される結果、保温効果と結露の防止効果を得ることもできる。
【００２０】
この構造の場合、前記覆材は、前記基準部材と同一材料により構成されているのが好適である。
【００２１】
この構造によると、一見すると覆材が本来の基準部材（縁取り部材や柱状部材）であるかのような印象を与えることが可能となるので違和感が無く見栄えが良いものとなる。
【００２２】
一方、本発明の配管工法は、上記のような配管保持具を用い、室内に露出して設けられる縁取り部材又は柱状部材などの基準部材に沿って配管を設ける工法であって、前記配管保持具を前記基準部材に沿って壁面に固定し、前記基準部材に沿って配管を配置しながら該配管を前記配管保持具により固定し、さらに配管の長手方向に亘って該配管から基準部材に跨る部分を一体的に室内側から隠蔽する覆材を前記配管および基準部材に被せ、この覆材を少なくとも配管保持具の前記打釘可能部に対して室内側から打釘することにより前記壁面に固定するようにしたものである。
【００２３】
この配管工法によると、配管工事等において、上記のような配管構造を短期間で良好に施工することが可能となる。
【発明の効果】
【００２４】
上記のような本発明の配管保持具によると、例えばコンクリート壁に配管を設けてさらにその配管を覆材により隠す場合でも、配管保持具のみを直接コンクリート壁に対して固定すれば、覆材を打釘可能部に釘打ち固定することにより配管保持具を介してコンクリート壁に覆材を固定することができる。そのため、配管工事において、覆材を固定するための柱材や桟材を別途コンクリート壁に設ける手間が省け、その分、当該工事の作業性を向上させることができる。
【００２５】
また、本発明の配管構造および配管工法によると、従来のいわゆる露出工法と同様に本来の室内壁の外側に配管を設けながらも、覆材によって配管が室内壁の内部に設けられているように擬装されるため、従来の露出工法に比べて違和感が少なく見栄えを良好に確保することができる。しかも、上記のような配管保持具を用いて配管を固定するので、例えばコンクリート壁に配管を設けてこれを覆材により隠すような場合でも、当該工事を速やかに短期間で進めることができる。従って、見栄えの良好な配管工事を短期間で、かつ低コストで行うことができる。
【発明を実施するための最良の形態】
【００２６】
本発明の好ましい実施の形態について図面を用いて説明する。
【００２７】
図１は本発明に係る配管構造が適用された室内を斜視図で概略的に示しており、図２は図１に示した室内のうち配管の配設部分を断面図で示している。これらの図は、配管改修工事により室内１の天井３付近に新たな配管１２を後付した例を示している。
【００２８】
配管１２は塩ビ管などの耐腐食性の高い管材からなり、図１に示すように、出入口２が設けられる壁５の上端部分に廻り縁４に沿って設けられ、後記覆材１６によって覆い隠された構造となっている。
【００２９】
詳しく説明すると、図２に示すように、壁５は母体となるコンクリート壁６の表面に断熱材７および壁板８がこの順番で貼付けられることにより構成されている。壁５のうち配管経路に当る部分には、同図に示すように断熱材７および壁板８が切除されることにより配管用の凹部１０が形成され、この凹部１０内に配管１２が配設されている。
【００３０】
そして、この配管１２が配管保持具２０（本発明に係る配管保持具）によってコンクリート壁６に固定され、さらに覆材１６が室内側から壁５に固定されることにより、凹部１０、配管１２および廻り縁４が覆材１６によって一体に覆い隠されている。
【００３１】
覆材１６は、同図に示すように天井３から真っ直ぐに垂下する部分（垂直部１６ａ）と、その下端から水平に壁側に延びる部分（水平部１６ｂ）とを有した断面Ｌ字型の部材で、廻り縁４と同一の木材から構成されている。そして、前記垂直部１６ａの上端を天井３に、水平部１６ｂの先端を前記凹部１０の下側で壁５にそれぞれ突き当てた状態で廻り縁４に重ね合わされ、廻り縁４および前記配管保持具２０に対して室内側から打釘されることにより壁５に固定されている。なお、配管保持具２０と覆材１６との間には、配管保持具２０と廻り縁４との段差を解消するための木製のスペーサ１４が介装されており、配管保持具２０に対してはこのスペーサ１４を介して覆材１６が打釘されている。
【００３２】
覆材１６は、図１に示すように配管１２が設けられる壁５の幅方向全体に亘って設けられており、これによりこの覆材１６があたかも廻り縁、あるいは梁として室内１に設けられているような印象を与えることができるようになっている。
【００３３】
次に、上述した配管構造に用いられている配管保持具２０について詳述するとともに、上記配管構造に係る配管工事の手順（本発明に係る配管工法）について説明する。
〈  配管保持具の構成  〉
配管保持具２０は、配管１２を保持した状態で被取付け面に固定するためのもので、図３（ａ）および図４に示すように、前記コンクリート壁６に固定されるベース部材２１Ａ（本発明に係る第１部材に相当する）と、このベース部材２１Ａに着脱自在に合体されるカバー部材２１Ｂ（本発明に係る第２部材に相当）とから構成されている。
【００３４】
ベース部材２１Ａは、配管１２の軸線方向に細長い四角柱状とされ、全体が樹脂材料からなり射出成形により一体に構成されている。ベース部材２１Ａには、コンクリート壁６への取付け面側（図４では下面側）とは反対側に開き、かつ長手方向に延びるＵ字型断面の挿入用凹部２２が形成されている。この挿入用凹部２２は、配管１２を嵌め込むためのもので、その幅は配管１２の外径と同寸法、あるいはそれより僅かに広く形成されている。
【００３５】
挿入用凹部２２の内底部には、コンクリート壁６への取付け面側に開口する段付きの貫通孔２２ｂが穿設されている。この貫通孔２２ｂはベース部材２１Ａをコンクリート壁６にねじ止めするためのものである。
【００３６】
挿入用凹部２２の両側の部分は幅方向（図４では左右方向）にある程度の厚みが設けられており、これらの部分は打釘部２４（本発明に係る打釘可能部）とされている。すなわち、ベース部材２１Ａは、全体が低発泡樹脂（例えば二倍発泡ポリスチレン）から構成されることにより木材と同様に打釘、すなわち釘打ち、ねじ締め、ステイプル打ち等が可能な構成となっており、挿入用凹部２２の両側では上記の通り厚みが十分に設けられてその表面がフラットに形成されることにより板材等を固定できるようになっている。
【００３７】
カバー部材２１Ｂは、ベース部材２１Ａの前記挿入用凹部２２を塞ぐことによりベース部材２１Ａと協働して配管１２を保持するとともにその抜け止めを行うものである。このカバー部材２１Ｂは、ベース部材２１Ａと異なり弾性のある樹脂材料（例えばオレフェン系エラストマー）から構成された板状の部材で、同図に示すように、挿入用凹部２２をその長手方向全体に亘って塞ぐ細長の板状に形成されており、挿入用凹部２２への嵌め込み面２６側（図４では下側）は、配管１２の外周面に対応した湾曲面（円弧面）とされている。
【００３８】
これに対して嵌め込み面２６の反対側は、鋼板等からなる保護板２８（本発明の保護部材に相当する）が固着されることによりフラットな面とされている。保護板２８は、打釘から配管１２を保護するもので、この点については後述する。
【００３９】
また、カバー部材２１Ｂの幅方向側面にはフック２６ａが設けられており、これらのフック２６ａがカバー部材２１Ｂの長手方向に亘って連続的に設けられている。
【００４０】
カバー部材２１Ｂをベース部材２１Ａに合体させるには、図４に示すように、カバー部材２１Ｂをその嵌め込み面２６側から挿入用凹部２２に嵌め込む。このようにすると挿入用凹部２２の内側面に形成された係合溝２２ａに各フック２６ａが係合し、これにより両部材２１Ａ，２１Ｂが互いに合体した状態となるとともに、上記の係合によりこの状態が保持されるようになっている。そして、このように両部材２１Ａ，２１Ｂを合体させることにより、ベース部材２１Ａの挿入用凹部２２とカバー部材２１Ｂの嵌め込み面２６とが協働して配管１２をその外側から保持するように構成されている。すなわちベース部材２１Ａとカバー部材２１Ｂとが協働して配管保持部を構成するようになっている。
【００４１】
なお、両部材２１Ａ，２１Ｂが合体した状態では、ベース部材２１Ａの表面（すなわち、打釘部２４の表面）とカバー部材２１Ｂの表面（つまり保護板２８の表面）とが面一となるように両部材２１Ａ，２１Ｂが構成されており、これによってカバー部材２１Ｂがベース部材２１Ａに対して完全に合体された否かを目視、あるいは手触りで容易に判断し得るようになっている。
〈  配管工事の手順（配管工法）  〉
配管工事では、まず、壁５のうち配管経路に当る部分の断熱材７および壁板８を切除することにより配管用の前記凹部１０を壁５に形成した後、配管保持具２０を配管経路に沿って断続的にコンクリート壁６に固定する。この場合、必要に応じて配管保持具２０を複数個連続的に固定するようにしてもよい。
【００４２】
配管保持具２０の固定は、図５（ａ）に示すように、挿入用凹部２２が室内側に向くようにしてベース部材２１Ａをコンクリート壁６に重ね、貫通孔２２ｂを介して釘１８をコンクリート壁６に打ち付けることにより行う。
【００４３】
次いで、配管１２を設置しながらベース部材２１Ａの挿入用凹部２２に挿入する。こうして配管１２の設置が完了した後、該配管１２を固定する。固定は、図５（ｂ）に示すように、各ベース部材２１Ａの挿入用凹部２２にカバー部材２１Ｂをその嵌め込み面２６側から嵌め込みフック２６ａを係合溝２２ａに係合させることにより行う。このようにすると、配管１２が挿入用凹部２２の壁面と嵌め込み面２６とに挟み込まれ、これにより配管保持具２０によって配管１２が固定されることとなる。この際、カバー部材２１Ｂが弾性のある樹脂材料から構成されている結果、カバー部材２１Ｂを撓ませながら容易にベース部材２１Ａに嵌め込むことができる。また、ベース部材２１Ａに対してカバー部材２１Ｂを完全に嵌め込むと、上記の通りベース部材２１Ａの表面とカバー部材２１Ｂの表面とが面一になるため、これを目安に配管１２の固定が確実に行われているか否かを確認しながら作業を行うことができる。
【００４４】
配管１２の固定が完了した後、覆材１６の取付けを行う。覆材１６の取付けは、図５（ｃ）に示すように、まずスペーサ１４を各配管保持具２０に重ね合わせた上で、その外側（室内側）から覆材１６を廻り縁４に跨った状態に重ね合わせ、この覆材１６の外側から廻り縁４および配管保持具２０の前記打釘部２４に対して釘１９を打ち付けることにより行う。この際、打釘部２４に対してはスペーサ１４を貫通させた状態で釘１９を打ち込む。なお、配管保持具２０に対する打釘については、上記のようにカバー部材２１Ｂに鋼板からなる保護板２８が設けられている結果、配管１２に対応する部分がこの保護板２８により室内側から保護されるため、釘１９が誤って配管１２に打ち込まれるといったトラブルを未然に防止することができる。従って配管１２を傷つけることなく作業を進めることができる。
【００４５】
こうして覆材１６が壁５に固定されると、配管工事が完了する。
【００４６】
以上のような本発明に係る配管構造によると、壁５の廻り縁４に沿って配管保持具２０により配管１２を設置し、これら配管保持具２０、配管１２および廻り縁４を覆材１６により一体的に覆い隠すようにしているので、見栄えの良好な配管改修工事を短期間で、かつ低コストで提供することができる。すなわち、この配管構造では、壁５に配管１２等を設けるが、上記のように配管１２等を覆材１６によって一体的に覆い隠すだけで、壁５をもとどおりに復旧するということを一切行わないので、極めて短期間で、しかも低コストで工事を行うことができる。しかも、工事後は、本体の廻り縁４を含め壁５の天井際全体を、本来の廻り縁４と同一の木材から構成された覆材１６によって覆っているため、この覆材１６があたかも廻り縁、あるいは梁として室内１に設けられているような印象を与えることができる。従って、工事後もさほど違和感がなく見栄えを良好に保つことができる。
【００４７】
その上、この配管構造では、上記のように打釘部２４を持つ本発明に係る配管保持具２０を使って配管１２を固定するので、この点でも工期を短縮できる。
【００４８】
すなわち、配管保持具２０を用いないとすれば、配管固定金具を使って配管１２をコンクリート壁６に直接固定するとともに、これとは別に木製の桟材等をコンクリート壁６に固定した上で、この桟材を使って覆材１６を固定することとなる。これに対して、上記配管保持具２０を用いた場合には、上述の通り覆材１６を配管保持具２０そのものに打釘することによって、この配管保持具２０を介してコンクリート壁６に覆材１６を固定することができるため、専用の桟材等を設ける必要がない。そのため、工事を迅速に進めることができ、配管工事の工期を短縮することが可能となる。
【００４９】
ところで、以上説明した配管構造は、本発明に係る配管構造の好ましい実施形態の一例であって、配管構造はもとよりこれに用いる配管保持具２０の具体的な構成、あるいは配管工法については、本発明の要旨を逸脱しない範囲で適宜変更可能である。例えば、以下のような態様を採ることも可能である。
（１）実施形態では、室内１の廻り縁４に沿って配管１２を設ける場合の例について説明したが、例えば間仕切りの柱に沿って配管１２を設ける場合にも本発明の配管構造は適用可能である。図６はその一例で、間仕切り３４末端に鉛直方向に配管１２を設けた場合の配管構造を平断面図で示している。この図に示す例では、配管１２は、柱３５に沿って設けられ、配管保持具２０によって間仕切り３４に固定されている。配管保持具２０（ベース部材２１Ａ）は、柱３５の側面に突き当てられた状態で釘１８により壁板３７の外側から間柱３６に固定されている。そして、配管１２、配管保持具２０および柱３５を壁面側から一体に覆うように覆材１６が被せられ、この覆材１６が柱３５および配管保持具２０（打釘部２４）に対して打釘により固定されている。なお、柱３５と覆材１６との間にはスペーサ１４が介装されており、柱３５に対してはこのスペーサ１４を介して覆材１６が打釘されている。
【００５０】
この構成の場合も、覆材１６やスペーサ１４を柱３５と同一材料（同一の木材あるいはそれに近い木目をもつ木材）により構成しておけば、正面又は側面（図同図では左方又は下方）から見たときにこの覆材１６やスペーサ１４が柱３５そのものであるかのような印象を与えることができる。従って、間仕切り３４の柱３５に沿って配管１２を設けながらも、工事後に違和感を与えるが事なく見栄えを良好に保つことができる。
【００５１】
要するに、本発明の配管構造は、廻り縁４等の縁取り部材、あるいは柱３５等の柱状部材を基準部材とし、これに沿って配管１２を設け、これら配管１２および縁取り部材又は柱状部材を一体的に覆材１６によって覆い隠すもの、より好ましくは、覆材１６を基準部材と同一の材料により構成することにより、覆材１６が縁取り部材又は柱状部材そのものであるかのように擬装するようにしたものであり、その適用場所は、上記のような縁取り部材や柱状部材の近傍であれば何処でも適用可能である。
【００５２】
なお、図２や図６に示した例では、覆材１６と壁５、又は覆材１６と間仕切り３４との間にスペーサ１４を設けているが、これは覆材１６の被固定面をフラットにするためであり、例えば図２において廻り縁４と配管保持具２０との間に段差が無い場合、あるいは図６において柱３５と配管保持具２０との間に段差が無い場合には勿論スペーサ１４を設ける必要はない。
（２）配管保持具２０の具体的な構成は上記実施形態のもの以外に図７又は図８に示すようなものであってもよい。以下、図示の配管保持具２０，５０について説明する。
【００５３】
まず、図７に示す配管保持具２０は、ベース部材２１Ａおよびカバー部材２１Ｂからなり、これら両部材２１Ａ，２１Ｂを互いに合体させることにより、両部材２１Ａ，２１Ｂの間に配管１２を挟み込んだ状態で保持する点で、上記実施形態のものと共通するが、カバー部材２１Ｂ側に挿入用凹部や打釘部が設けられている点で実施形態のものとは構成が相違している。
【００５４】
詳しく説明すると、この配管保持具２０では、図７（ａ）に示すように、ベース部材２１Ａが板状に構成されており、このベース部材２１Ａには、コンクリート壁６への取付け面の反対側に配管１２を受ける円弧状の受け面４２が設けられ、さらにこの受け面４２の両側に、内側に向き、かつ弾性的に幅方向（同図では上下方向）に撓み可能な一対のフック片４３が設けられている。一方、カバー部材２１Ｂは略四角柱状に形成されるとともに全体が低発泡樹脂から構成されており、ベース部材２１Ａ側の面には断面Ｕ字型の挿入用凹部４６が設けられている。また、ベース部材２１Ａ側と反対側はフラットな面とされ、この面のうち挿入用凹部４６に対応する箇所、つまり配管１２を保持する部分に対応する箇所には鋼板からなる保護板４８が設けられている。そして、この保護板４８の両側が打釘部４７とされている。
【００５５】
この配管保持具２０を使って配管１２をコンクリート壁６に固定するには、同図に示すようにベース部材２１Ａをコンクリート壁６に固定し、ベース部材２１Ａの受け面４２に配管１２を押し付けた状態で挿入用凹部４６側からカバー部材２１Ｂをベース部材２１Ａに近づけ、配管１２を挿入用凹部４６内に挿入しながらカバー部材２１Ｂをベース部材２１Ａに合体させる。このようにすると、図７（ｂ）に示すように、ベース部材２１Ａの各フック片４３がカバー部材２１Ｂの側面に形成された係止溝４６ａに係合し、これにより受け面４２と挿入用凹部４６の壁面とに挟み込まれた状態で配管１２が配管保持具２０によってコンクリート壁６に固定されることとなる。なお、この配管保持具２０の場合、予めカバー部材２１Ｂの挿入用凹部４６に配管１２を嵌め込んでおき、この状態でカバー部材２１Ｂをベース部材２１Ａに合体させるようにしてもよい。
【００５６】
図８に示す配管保持具５０は、被取付け面（図示の例ではコンクリート壁６）に固定される保持具本体５１Ａと、配管１２を直接保持して保持具本体５１Ａに対して着脱自在に係止されるホルダ５１Ｂ（本発明に係る配管保持部に相当する）とから構成されている。
【００５７】
保持具本体５１Ａは、図８（ａ）に示すように、下向き（同図で下向き）に開く係止用凹部５３を備えた断面略コ字型の部材で、配管１２の軸線方向に細長く（図９参照）、全体が低発泡樹脂により一体に構成されている。保持具本体５１Ａのうち係止用凹部５３の内底部分は十分な肉厚が設けられており、ここが打釘部５７とされている。打釘部５７には段付きの貫通孔５４が設けられており、同図に示すように、この孔を使って釘１８により保持具本体５１Ａがコンクリート壁６に固定されるようになっている。
【００５８】
係止用凹部５３の内側面には、その長手方向全体に亘ってそれぞれ内側に向かって係止部５２ａが形成されている。また、これら係止部５２ａのうちコンクリート壁６への取付け面側とは反対側（同図では右側）の係止部５２ａに対応する箇所には、該係止部５２ａの外側に鋼板からなる保護板５６が設けられている。
【００５９】
一方、ホルダ５１Ｂは、フラットなベース部分５８の片面（同図では下面）に円弧状に湾曲した撓み変位可能な平板型の一対のアーム５９を備えた構成となっており、これらアーム５９の間に配管１２を嵌め込むことにより両アーム５９の弾発力により配管１２を保持するように構成されている。ベース部分５８の幅方向両端は、両アーム５９の外側に延設されており、ここが前記係止部５２ａに係合可能なフック５８ａとなっている。なお、ホルダ５１Ｂは、保持具本体５１Ａの長手方向に対応する寸法が十分に短く設定されており、共通の保持具本体５１Ａに対して複数のホルダ５１Ｂが係止され得るようになっている（図９参照）。
【００６０】
この配管保持具５０を使って配管１２をコンクリート壁６に固定するには、同図に示すように保持具本体５１Ａをコンクリート壁６に固定する一方、ホルダ５１Ｂの両アーム５９の間に配管１２を嵌め込むことによりホルダ５１Ｂを配管１２に装着する。この場合、必要に応じて図９に示すように複数（図示の例では２つ）のホルダ５１Ｂを配管１２に装着する。そして、ホルダ５１Ｂをそのベース部分５８側から保持具本体５１Ａの係止用凹部５３に嵌め込む。このようにすると、図８（ｂ）に示すように、保持具本体５１Ａの両係止部５２ａにホルダ５１Ｂのフック５８ａが係合し、配管１２がホルダ５１Ｂを介して保持具本体５１Ａにより保持され、結果的に配管１２がコンクリート壁６に固定されることとなる。
【００６１】
なお、この配管保持具５０についても、保持具本体５１Ａに打釘部５７が設けられているため、この部分を使って覆材１６等を打釘により固定することが可能である。この場合も、フック５２ａに対応する部分に保護板５６が設けられているため、打釘時にベース部分５８に保持されている配管１２を誤って傷付けるといったトラブルを有効に防止することができる。
【００６２】
以上、配管保持具の変形例について図７，図８を用いて説明したが、勿論、これ以外の構成のものであってもよい。要は、配管１２を保持する部分と、打釘により覆材１６等を固定し得る部分とを備えていればよい。従って、配管保持具は、必ずしも図３，図７および図８に示したもののように分割構造を有するものでなくてもよく、例えば、図８に示した配管保持具５０において、保持具本体５１Ａとホルダ５１Ｂとが一体的に設けられたものであってもよい。
（３）実施形態の配管保持具２０では、ベース部材２１Ａの全体を低発泡樹脂から構成し、この樹脂材料の材質を利用することにより嵌合用凹部２２の両側に打釘部２４を設けているが、この樹脂材料の種類は必ずしも実施形態の材料（二倍発泡ポリスチレン）に限定されるものではなく、その他の材料、例えば低発泡ＡＢＳや低発泡塩化ビニルを用いてもよい。要は、打釘により覆材１６等の部材を確実に固定できる材料であればよい。
（４）実施形態では、配管１２を打釘から保護する保護部材として、カバー部材２１Ｂに鋼板からなる保護板２８を設けているが、保護板２８は必ずしも鋼板等の金属板である必要はなく、硬質の樹脂板であっても構わない。また保護板２８の大きさや配置も実施例に限定されるものではなく、配管１２をより確実に保護できるように配管保持具２０の具体的な構成に応じて適宜設けるようにすればよい。この点は、図７，図８に示した配管保持具２０，５０についても同様である。
（５）実施形態では、壁５に配管用の凹部１０を設けここに配管１２を固定しているが、壁板８の強度が充分な場合やコンクリート直壁の場合には、勿論、前記凹部１０を設けることなく壁板８に配管保持具２０を固定するようにしてもよい。
【図面の簡単な説明】
【００６３】
【図１】本発明に係る配管構造が適用された室内を示す斜視図である。
【図２】配管構造を示す一部断面斜視図である。
【図３】配管保持具を示す斜視図である（（ａ）はベース部材とカバー部材とを分離した状態、（ｂ）はベース部材とカバー部材とを合体させることにより配管を保持した状態をそれぞれ示す）。
【図４】配管保持具を示す分解状態の断面図である。
【図５】配管改修工事の手順（配管工法）を示す図である（（ａ）は配管保持具のベース部材をコンクリート壁に固定した段階、（ｂ）は配管保持具により配管を固定した段階、（ｃ）は覆材を固定する段階をそれぞれ示している）。
【図６】本発明に係る配管構造が適用された間仕切り部分を示す平断面図である。
【図７】配管保持具の変形例を示す断面図である（（ａ）はベース部材とカバー部材とを分離した状態、（ｂ）はベース部材とカバー部材とを合体させることにより配管を保持した状態をそれぞれ示す）。
【図８】配管保持具の変形例を示す断面図である（（ａ）は保持具本体とホルダとを分離した状態、（ｂ）は保持具本体にホルダを係合させることにより配管を保持した状態をそれぞれ示す）。
【図９】図８（ａ）におけるＡ矢視図である。
【符号の説明】
【００６４】
１  室内
２  出入口
３  天井
４  廻り縁
５  壁
１２  配管
１６  覆材
２０  配管保持具
２１Ａ  ベース部材
２１Ｂ  カバー部材
２８  保護板
【図１】
2006189063.tif 000003
【図２】
2006189063.tif 000004
【図３】
2006189063.tif 000005
【図４】
2006189063.tif 000006
【図５】
2006189063.tif 000007
【図６】
2006189063.tif 000008
【図７】
2006189063.tif 000009
【図８】
2006189063.tif 000010
【図９】
2006189063.tif 000011